(57)【要約】【課題】ユーザのＰＣ起動操作手順を第三者が盗み見して、パスワードキーが何であるかを知り得たならばＰＣの電源起動できてしまうという問題点を有していた。ＰＣ起動の際に、あらかじめ設定された方法で起動操作を行わない限り、装置の電源自体が入らないようにするＰＣのセキュリティ方法を提供することを目的とする。【解決手段】情報処理装置の電源起動時において、電源スイッチと起動用キーとの同時押しがされたかを判断する処理手順と、起動用キーが常時変化する参照キーコードであるパスワードキーと一致することを判断する処理手順とを含み、電源スイッチと起動用キーが同時に押され、かつ起動用キーとパスワードキーとが一致したときに電源起動処理を実行するＰＣ電源起動方法であり、パスワードキーは固定的なキーではなく、常時変化するキーコードであるためより強固なセキュリティシステムが実現できる。【選択図】図１
2007279871.tif 000002
【特許請求の範囲】
【請求項１】
情報処理装置の電源起動時において、
電源スイッチと起動用キーとの同時押しがされたかを判断する処理手順と、
前記起動用キーが常時変化する参照キーコードであるパスワードキーと一致することを判断する処理手順と、
を含み、
前記電源スイッチと前記起動用キーが同時に押され、かつ前記起動用キーと前記パスワードキーとが一致したときに電源起動処理を実行することを特徴とする情報処理装置の電源起動方法。
【請求項２】
前記パスワードキーは曜日、日、時間をパラメータとしたキーコードとすることを特徴とする請求項１に記載の情報処理装置の電源起動方法。
【発明の詳細な説明】
【技術分野】
【０００１】
本発明は、ＰＣ等のキー入力部を有する情報処理装置（以下、総称してＰＣ）に係わり、その電源起動方法に特別な操作を伴わせることにより、装置で扱われるデータの機密性、安全性、信頼性等を確保するためのセキュリティシステムに関するものである。
【背景技術】
【０００２】
近年、ＰＣ等の普及が拡大している。中でも、持ち運ぶことのできるノート型パソコンは、ビジネス等、様々な場面で必要不可欠なものになっている。しかしながらこれらの機器はいつでもどこでも使用できるという利便性がある反面、第三者に悪用されてしまう危険性も潜んでいる。これにより会社の機密情報などが流出してしまった場合、その会社への損害は計り知れない。
【０００３】
このような背景のもとで、近年セキュリティ対策への必要性が高まっている。そこで、正当なユーザ以外は装置を使用できないようにする方法として、パスワードの設定、例えばＢＩＯＳパスワード、ＨＤＤパスワードのようなものがある。これらはあらかじめ登録されたパスワードを知っているユーザにしか装置を利用できないため、非常に有用な手法である。
【０００４】
しかし、これらのパスワードを入力する方式の中には、規定回数以上間違えてしまうと、装置が起動できなくなる、または装置内のデータを自動的に消去してしまうものもある。これらはデータの機密性を確保する点では大変優れているが、第三者が意図的に間違ったパスワードを何度も入力することで、簡単に装置を起動不可、もしくは破壊できるといった弊害もある。これは、誰でも装置の電源を起動し、パスワード入力試行が可能であるといった、容易な電源起動方法に起因する問題であると捉えることもできる。
【０００５】
以下に従来のＰＣのセキュリティ方法について説明する。
【０００６】
図３は従来のＰＣの電源起動方法のフローチャートを示すものである。図３において、Ｐは本フローチャートの開始を表す端子で、ＰＣの電源は入っていない状態である。ＱはＰＣの電源スイッチとキーボード上の起動用キーＸが同時に押されたかどうか判断する処理である。Ｒ′は前述の起動用キーＸが所定のキー、つまりパスワードキーとしてユーザ登録されたキーと一致したかを判断する処理である。Ｓは本フローチャートの終端で、ＰＣの電源起動処理が開始された状態である。
【０００７】
以上のように構成された従来のＰＣの電源起動方法について、以下その動作について説明する。まず、装置の電源が起動していない状態（Ｐ）において、電源スイッチ、起動用キーＸが同時に押されない限りは、Ｑ処理でｎｏの分岐に進み、その状態が維持される。ここで電源スイッチ、起動用キーＸが同時押しされると、Ｑ処理でｙｅｓの分岐に進み、続いて起動用キーＸがユーザ登録されたパスワードキーと一致したかを判断する処理（Ｒ′）が実行される。起動用キーＸがユーザ登録されたパスワードキーと一致しない場合は、電源起動処理は開始されない（Ｐ）。起動用キーＸがユーザ登録されたパスワードキーと一致した場合、装置の電源起動処理が実行され、本フローチャートは終了する（Ｓ）。
【特許文献１】特開平５−３３３７７３号公報
【特許文献２】特開２０００−３１１１３９号公報
【特許文献３】特開２００１−１５９９２６号公報
【発明の開示】
【発明が解決しようとする課題】
【０００８】
しかしながら上記の従来の構成では、ユーザのＰＣ起動操作手順を第三者が盗み見して、特に上記パスワードキーが何であるかを知り得たならばＰＣの電源起動できてしまうという問題点を有していた。
【０００９】
本発明は上記従来の問題点を解決するもので、ＰＣ起動の際に、あらかじめ設定された方法で起動操作を行わない限り、装置の電源自体が入らないようにするＰＣのセキュリティ方法を提供することを目的とする。
【課題を解決するための手段】
【００１０】
本発明の請求項１に記載の発明は、情報処理装置の電源起動時において、電源スイッチと起動用キーとの同時押しがされたかを判断する処理手順と、前記起動用キーが常時変化する参照キーコードであるパスワードキーと一致することを判断する処理手順と、を含み、前記電源スイッチと前記起動用キーが同時に押され、かつ前記起動用キーと前記パスワードキーとが一致したときに電源起動処理を実行することを特徴とする情報処理装置の電源起動方法であり登録されたパスワードキーが固定でなく所定の規則によって変化するために、正規ユーザがパスワードキーを使用してＰＣの電源を起動しているところを第三者に見られた場合でも、第三者が同じ方法で不正に電源を起動しようとしてもその時にはパスワードキーが無効になっているので、ＰＣのセキュリティをより強固なものにすることができるという作用を有する。
【発明の効果】
【００１１】
以上のように本発明によれば、登録されたパスワードキーが固定でなく所定の規則によって変化するために、正規ユーザがパスワードキーを使用してＰＣの電源を起動しているところを第三者に見られた場合でも、第三者が同じ方法で不正に電源を起動しようとしてもその時にはパスワードキーが無効になっているので、ＰＣのセキュリティをより強固なものにすることができるという優れた効果が得られる。
【発明を実施するための最良の形態】
【００１２】
以下、本発明の実施の形態について、図１、図２を用いて説明する。
【００１３】
（実施の形態１）
図１は本発明のＰＣ電源起動方法のフローチャートである。
【００１４】
図１において、Ｐは本フローチャートの開始を表す端子で、情報処理装置の電源は入っていない状態である。ＱはＰＣの電源スイッチとキーボード上の起動用キーＸが同時に押されたかどうか判断する処理である。Ｒは前述の起動用キーＸが所定の規則によって変化するパスワードキーと一致したかを判断する処理である。Ｓは本フローチャートの終端で、情報処理装置の電源起動処理が開始された状態である。
【００１５】
図２は前述の所定の規則によって変化するパスワードキーを説明する図である。
【００１６】
以上のように構成された情報処理装置の電源起動方法について、図１，図２を用いてその動作を説明する。
【００１７】
まず、装置の電源が起動していない状態（Ｐ）において、電源スイッチ、起動用キーＸが同時に押されない限りは、Ｑ処理でｎｏの分岐に進み、その状態が維持される。電源スイッチ、起動用キーＸが同時に押されると、Ｑ処理でｙｅｓの分岐に進み、起動用キーＸが所定の規則によって変化するパスワードキーと一致したかを判断する処理（Ｒ）が実行される。
【００１８】
ここで、所定の規則によって変化するパスワードキーの決定方法について図２を用いて説明する。
【００１９】
ＰＣにはごく一般に内部にタイマが内蔵されている。仮に現在日時、時刻が２００６年４月１５日土曜日、１７時５３分４０秒とタイマが示しているものとする。タイマは必ずしも正確ではないものの、２００６年４月１５日土曜日、１７時までは信頼できる時刻であるものとする。例えば英語表記の曜日の頭文字をユーザ登録されたパスワードキーとすると現在日時の曜日は土曜日＝Ｓａｔｕｒｄａｙ、つまり「Ｓ」となる（図２実線円内）。日曜日＝Ｓｕｎｄａｙで「Ｓ」となるが同じでも良いし、土曜日＝「Ｓａ」、日曜日＝「Ｓｕ」としても良いが電源スイッチ、起動用キーＸ１＝「Ｓ」、起動用キーＸ２「ａ」の３つ同時押しとなる。
【００２０】
また、英語表記の月の頭文字でもよいが、同様に１，６，７月が「Ｊ」、３，５月が「Ｍ」、４，８月が「Ａ」で重なるために、起動用キーＸをそれぞれ「Ｊ」、Ｍ」、「Ａ」としても良いし、それぞれの月が特定できる、例えば１月であれば起動用キーＸ１＝「Ｊ」、起動用キーＸ２「ａ」のようにしても良い。
【００２１】
また、日、時をパスワードキーとしても良い。例えば１５日の「５」、１７時の「７」でも良いし、１５日の「１」「５」、１７時の「１」「７」の組み合わせでも良い。年は１年間かわらない、分、秒はタイマの時間誤差があったり、変化が激しいので、月、曜日、時間からキーパスワードを選定するのが好適である。また、これらパスワードキーは電源コントローラのマイコンプログラムのプログラミングにより当業者であれば容易に設定可能である。
【００２２】
起動用キーＸが上記の所定の規則によって変化するパスワードキーと一致したと判断するとＰＣ電源起動処理が実行され、本フローチャートは終了する（Ｓ）。
【００２３】
以上のように本実施の形態によれば、登録されたパスワードキーが固定でなく所定の規則によって変化するために、正規ユーザがパスワードキーを使用してＰＣの電源を起動しているところを第三者に見られた場合でも、第三者が同じ方法で不正に電源を起動しようとしてもその時にはパスワードキーが無効になっているので、ＰＣのセキュリティをより強固なものにすることができる。
【００２４】
なお、以上の説明では、パスワードキーの決定方法を、日時を利用したものとして説明したが、他にも普遍的に変化するものをパラメータとして、例えばＧＰＳ（Ｇｌｏｂａｌ  Ｐｏｓｉｔｉｏｎｉｎｇ  Ｓｙｓｔｅｍ）で計測した現在使用しているＰＣの経度、緯度のある桁をパラメータとするようなより複雑な規則を設定したパスワードキー決定方法にすることで、さらなるセキュリティアップできることは言うまでもない。
【産業上の利用可能性】
【００２５】
本発明にかかる特定の入力操作を伴う電源起動方法は、ある規則に従って決定される起動用キーと同じ入力機器のキーを押下しなければ情報処理装置の電源を起動できないという特徴を有し、ＰＣ等のキー入力部を有する情報処理装置で扱われるデータの機密性、安全性、信頼性等を確保するためのセキュリティシステムとして有用である。
【図面の簡単な説明】
【００２６】
【図１】本発明の実施の形態１における動作を示すフローチャート
【図２】所定の規則によって変化するパスワードキーを説明する図
【図３】従来の動作を示すフローチャート
【符号の説明】
【００２７】
Ｐ  フローチャートの開始（情報処理装置の電源は入っていない状態）
Ｑ  ＰＣの電源スイッチとキーボード上の起動用キーＸが同時に押されたかどうか判断する処理
Ｒ  起動用キーＸが所定の規則によって変化するパスワードキーと一致したかを判断する処理
Ｓ  フローチャートの終端（情報処理装置の電源起動処理が開始された状態）
【図１】
2007279871.tif 000003
【図２】
2007279871.tif 000004
【図３】
2007279871.tif 000005